(57)【要約】【課題】入力電圧の供給が停止された際に出力側に設けられた容量素子に残留した電荷により生じる不具合を抑制できる電源装置を提供する。【解決手段】少なくとも１つの出力電圧ラインと、入力電圧供給の停止を検出する検出部と、前記検出部による検出に基づいて、前記出力電圧ラインに接続された容量素子から電荷を引抜く電荷引抜き部と、を備える電源装置としている。【選択図】図１
2015231279.tif 000002
【特許請求の範囲】
【請求項１】
少なくとも１つの出力電圧ラインと、
入力電圧供給の停止を検出する検出部と、
前記検出部による検出に基づいて、前記出力電圧ラインに接続された容量素子から電荷を引抜く電荷引抜き部と、を備える電源装置。
【請求項２】
前記電荷引抜き部は、前記検出部による検出に基づいてオンとなるスイッチ素子を有し、前記スイッチ素子に流れる電流によって前記電荷を引抜くことを特徴とする請求項１に記載の電源装置。
【請求項３】
前記少なくとも１つの出力電圧ラインは、第１出力電圧ラインと第２出力電圧ラインを含み、
前記第１出力電圧ラインは、第２出力電圧ラインよりも装置の通常動作での出力電圧が高く、
前記第１出力電圧ラインにカソードが接続され、第２出力電圧ラインにアノードが接続されるダイオードを前記電荷引抜き部は有することを特徴とする請求項２に記載の電源装置。
【請求項４】
前記検出部は、入力電圧の減少を検出すると、前記出力電圧ラインのうち少なくとも１つに接続された制御回路をリセットさせる減電検出回路であることを特徴とする請求項１〜請求項３のいずれか１項に記載の電源装置。
【請求項５】
前記検出部は、前記入力電圧に基づいて発光量が変化するフォトカプラを有することを特徴とする請求項１〜請求項３のいずれか１項に記載の電源装置。
【発明の詳細な説明】
【技術分野】
【０００１】
本発明は、電源装置に関する。
【背景技術】
【０００２】
従来、様々なスイッチング電源回路が知られている。
【０００３】
従来のスイッチング電源回路の出力側には整流平滑回路が設けられることが多く、この整流平滑回路に含まれる平滑コンデンサに電荷が蓄電される。そして、スイッチング電源回路の入力電圧（交流電圧等）を停止させた場合、例えば数分間は上記平滑コンデンサに電荷が残留していた。
【先行技術文献】
【特許文献】
【０００４】
【特許文献１】国際公開第２０１２／０３３１２０号
【発明の概要】
【発明が解決しようとする課題】
【０００５】
ここで、上記スイッチング電源回路を備えた基板に設けられたコネクタと、当該基板とは別の基板に設けられたコネクタとは基板間中継ケーブル（ＦＦＣ（フレキシブルフラットケーブル）等）によって接続され、上記スイッチング電源回路の電圧出力は上記基板間中継ケーブルを介して上記別の基板に設けられた所定の回路に供給される場合がある。
【０００６】
また、基板間中継ケーブルのコネクタにおける隣接する端子間のピッチは例えば１ｍｍ程度であって非常に短いので、基板間中継ケーブルのコネクタを基板のコネクタに接続する場合、本来接続されるべきでない端子同士が短絡してしまう場合があった。
【０００７】
製品の組み立て工程や修理時に、スイッチング電源回路の入力電圧の供給を停止させた後、短時間内に基板間中継ケーブルを引抜いて再度接続した場合に、上記のように本来接続されるべきでない端子同士が短絡すると、平滑コンデンサに残留した電荷による電圧が本来印加されるべきでない回路（上記別の基板に設けられた回路）に印加され、部品を破壊してしまうことがあった。
【０００８】
なお、特許文献１には、交流入力が停止されたことが検知されると、スイッチング電源回路の入力側に設けられたフィルタ回路が有するコンデンサから電荷を放電させるものが開示されている。しかしながら、この技術は、上記のようにスイッチング電源回路の出力側に設けられたコンデンサに残留した電荷による問題を解決するものではない。
【０００９】
上記状況に鑑み、本発明は、入力電圧の供給が停止された際に出力側に設けられた容量素子に残留した電荷により生じる不具合を抑制できる電源装置を提供することを目的とする。
【課題を解決するための手段】
【００１０】
上記目的を達成するために本発明の電源装置は、少なくとも１つの出力電圧ラインと、入力電圧供給の停止を検出する検出部と、前記検出部による検出に基づいて、前記出力電圧ラインに接続された容量素子から電荷を引抜く電荷引抜き部と、を備える構成としている。
【００１１】
また、上記構成において、前記電荷引抜き部は、前記検出部による検出に基づいてオンとなるスイッチ素子を有し、前記スイッチ素子に流れる電流によって前記電荷を引抜くこととしてもよい。
【００１２】
また、上記構成において、前記少なくとも１つの出力電圧ラインは、第１出力電圧ラインと第２出力電圧ラインを含み、前記第１出力電圧ラインは、第２出力電圧ラインよりも装置の通常動作での出力電圧が高く、前記第１出力電圧ラインにカソードが接続され、第２出力電圧ラインにアノードが接続されるダイオードを前記電荷引抜き部は有することとしてもよい。
【００１３】
このような構成によれば、入力電圧供給の停止が検出されると、スイッチ素子がオンとなり、第１出力電圧ラインを介して電荷が引き抜かれ、第１出力電圧ラインの電圧が低下するとダイオードがオンとなり、第２出力電圧ラインを介して電荷が引き抜かれる。従って、２つの出力電圧ラインから電荷を引抜くことが可能となる。
【００１４】
また、上記いずれかの構成において、前記検出部は、入力電圧の減少を検出すると、前記出力電圧ラインのうち少なくとも１つに接続された制御回路をリセットさせる減電検出回路であることとしてもよい。
【００１５】
このような構成によれば、検出部は、入力電圧の減少による制御回路のフリーズを抑止する機能を持つ減電検出回路と回路部品を共通化できる。
【００１６】
また、上記いずれかの構成において、前記検出部は、前記入力電圧に基づいて発光量が変化するフォトカプラを有することとしてもよい。
【００１７】
このような構成によれば、トランスの１次側と２次側間を絶縁しつつ、迅速に入力電圧供給の停止を検出することができる。
【発明の効果】
【００１８】
本発明の電源装置によると、入力電圧の供給が停止された際に電源出力側に設けられた容量素子に残留した電荷により生じる不具合を抑制できる。
【図面の簡単な説明】
【００１９】
【図１】本発明の第１実施形態に係る基板接続構成の模式図である。
【図２】本発明の第１実施形態に係るスイッチング電源回路の回路構成を示す図である。
【図３】本発明の第１実施形態に係る減電検出回路の回路構成を示す図である。
【図４】本発明の第１実施形態に係る電荷引抜き回路の回路構成を示す図である。
【図５Ａ】本発明の第１実施形態に係る電荷引抜き回路における通常動作時の動作を示す図である。
【図５Ｂ】本発明の第１実施形態に係る電荷引抜き回路における電荷引抜き動作を示す図である。
【図５Ｃ】本発明の第１実施形態に係る電荷引抜き回路における電荷引抜き動作を示す図である。
【図６】本発明の第２実施形態に係る電荷引抜き回路の回路構成を示す図である。
【図７】本発明の第３実施形態に係るスイッチング電源回路の回路構成を示す図である。
【発明を実施するための形態】
【００２０】
＜第１実施形態＞
以下に本発明の一実施形態について図面を参照して説明する。本発明の第１実施形態に係る基板接続構成の模式図を図１に示す。図１に示す基板接続構成は、例えばテレビ装置に設けられ、スイッチング電源回路から電圧を各回路に供給するためのものである。
【００２１】
図１に示すように、第１基板２１にはスイッチング電源回路１とコネクタ２２が設けられる。図１ではスイッチング電源回路１の構成を一部のみ示しており、スイッチング電源回路１は、トランス（図１で不図示）の２次側に設けられた整流平滑回路１１と、減電検出回路１２と、電荷引抜き回路１３を備えている。
【００２２】
減電検出回路１２は、スイッチング電源回路１に入力される交流電圧の低下を検出する回路である。減電検出回路１２の検出信号はリセットラインＬ３に出力される。
【００２３】
電荷引抜き回路１３は、整流平滑回路１１の後段に設けられた第１出力電圧ラインＬ１と第２出力電圧ラインＬ２に接続されており、整流平滑回路１１が有する各コンデンサ（図１では不図示）から電荷を引抜いて放電させる回路である。なお、電荷引抜き回路１３は、減電検出回路１２の検出信号に応じて動作する。減電検出回路１２及び電荷引抜き回路１３の詳細な構成については後述する。
【００２４】
コネクタ２２は、第１基板２１に対して固定されており、第１出力電圧ラインＬ１に接続される端子２２Ａ、第２出力電圧ラインＬ２に接続される端子２２Ｂ、及び減電検出回路１２とリセットラインＬ３を介して接続される端子２２Ｃを備えている。
【００２５】
また、第２基板２７には、ＳＯＣ（System-on-a-chip）２５と、オーディオアンプ２６が設けられる。ＳＯＣ２５は、例えばテレビ装置などの装置全体を制御する機能を有する回路である。オーディオアンプ２６は、音声信号を増幅する機能を有する回路であり、ＳＯＣ２５によって制御される。
【００２６】
ここで、第１基板２１に固定されたコネクタ２２と、第２基板２７に固定されたコネクタ２４とは、コネクタ２３１及びコネクタ２３２を各端部に有したＦＦＣ２３によって接続される。コネクタ２３１はコネクタ２２に、コネクタ２３２はコネクタ２４に接続される。
【００２７】
ＦＦＣ２３によって正しく接続した状態では、第１出力電圧ラインＬ１は端子２２Ａ、コネクタ２３１に備えられた端子２３１Ａ、コネクタ２３２、及びコネクタ２４を介して、ＳＯＣ２５の電源端子２５Ａに電気的接続される。同様に、第２出力電圧ラインＬ２は端子２２Ｂ、コネクタ２３１に備えられた端子２３１Ｂ、コネクタ２３２、及びコネクタ２４を介して、ＳＯＣ２５の電源端子２５Ｂに電気的接続される。更に同様に、リセットラインＬ３は端子２２Ｃ、コネクタ２３１に備えられた端子２３１Ｃ、コネクタ２３２、及びコネクタ２４を介して、ＳＯＣ２５のリセット端子２５Ｃに電気的接続される。なお、第２出力電圧ラインＬ２は、第２基板２７上での配線の分岐によってオーディオアンプ２６の電源端子２６Ａにも電気的接続される。
【００２８】
次に、スイッチング電源回路１の具体的な回路構成を図２に示す。図２に示すスイッチング電源回路１は、ＲＣＣ（Ringing Choke Converter）方式（自励方式）のものである。
【００２９】
図２に示すスイッチング電源回路１は、トランスＴｒ、電界効果トランジスタＱ１（以下、トランジスタＱ１）、バイポーラトランジスタＱ２（以下、トランジスタＱ２）、フォトカプラＰ１、シャントレギュレータＳ１、コンデンサＣ１〜Ｃ３、抵抗Ｒ１〜Ｒ９、ダイオードＤ１、ツェナーダイオードＺ１、整流平滑回路１１、減電検出回路１２、電荷引抜き回路１３、及び整流平滑回路１４を備えている。
【００３０】
トランスＴｒは、１次側に１次巻線Ｎ１及びドライブ巻線Ｎ３を、２次側に２次巻線Ｎ２を有している。整流平滑回路１４は例えばダイオードブリッジと平滑コンデンサから構成され、入力される交流電圧Ｖａｃを直流電圧Ｖｉｎに変換する。直流電圧Ｖｉｎが入力される電源入力ラインが１次巻線Ｎ１の一端に接続される。１次巻線Ｎ１の他端には、トランジスタＱ１のドレインが接続される。トランジスタＱ１のソースは接地される。トランジスタＱ１のゲートは、コンデンサＣ１及び抵抗Ｒ２を介してドライブ巻線Ｎ３の一端に接続される。ドライブ巻線Ｎ３の他端は接地される。トランジスタＱ１とコンデンサＣ１の接続点と、上記電源入力ラインの間には起動用の抵抗Ｒ１が接続される。
【００３１】
抵抗Ｒ２とドライブ巻線Ｎ３の接続点には、ダイオードＤ１のアノードが接続される。ダイオードＤ１のカソードとグランド電位の間には、抵抗Ｒ４とコンデンサＣ３が直列接続される。
【００３２】
抵抗Ｒ２とダイオードＤ１の接続点には、ツェナーダイオードＺ１のカソードが接続される。ツェナーダイオードＺ１のアノードには、抵抗Ｒ３を介してトランジスタＱ２のベースが接続される。トランジスタＱ２のコレクタには、トランジスタＱ１とコンデンサＣ１の接続点に接続される。トランジスタＱ２のエミッタは接地される。
【００３３】
整流平滑回路１１は、ダイオードＤ２、平滑コンデンサＣ４、ダイオードＤ３、及び平滑コンデンサＣ５から構成される。２次巻線Ｎ２の一端は接地され、他端はダイオードＤ２のアノードに接続される。ダイオードＤ２のカソードには、出力電圧Ｖｏｕｔ１を出力する第１出力電圧ラインＬ１が接続される。平滑コンデンサＣ４は、第１出力電圧ラインＬ１とグランド電位の間に接続される。
【００３４】
また、２次巻線Ｎ２の中間点にはダイオードＤ３のアノードが接続される。ダイオードＤ３のカソードには、出力電圧Ｖｏｕｔ２を出力する第２出力電圧ラインＬ２接続される。平滑コンデンサＣ５は、第２出力電圧ラインＬ２とグランド電位の間に接続される。
【００３５】
第１出力電圧ラインＬ１とグランド電位の間には、抵抗Ｒ７と抵抗Ｒ９が直列接続される。第２出力電圧ラインＬ２には抵抗Ｒ８の一端が接続され、抵抗Ｒ８の他端には抵抗Ｒ７と抵抗Ｒ９の接続点が接続される。
【００３６】
抵抗Ｒ７と抵抗Ｒ９の接続点には、シャントレギュレータＳ１のリファレンス端子が接続される。シャントレギュレータＳ１のアノード端子は接地される。シャントレギュレータＳ１のカソード端子は、フォトカプラＰ１の発光ダイオードの一端に接続される。当該発光ダイオードの他端は、抵抗Ｒ６を介して第１出力電圧ラインＬ１に接続される。
【００３７】
フォトカプラＰ１のフォトトランジスタの一端には、抵抗Ｒ４とコンデンサＣ３の接続点が接続される。当該フォトトランジスタの他端には、トランジスタＱ２のベースと抵抗Ｒ５の接続点が接続される。当該接続点にはコンデンサＣ２の一端が接続され、コンデンサＣ２の他端は接地される。抵抗Ｒ５は、コンデンサＣ２と並列に接続される。
【００３８】
次に、以上のような構成であるスイッチング電源回路１の基本的な動作について説明する。
【００３９】
まず、例えばＡＣケーブルをコンセントに装着するなどして交流電圧Ｖａｃを入力させて、直流電圧Ｖｉｎを入力させた起動時には、トランジスタＱ１はオフであるため１次巻線Ｎ１には電流は流れないが、起動抵抗Ｒ１を通してトランジスタＱ１のゲート−ソース間に形成される内部容量に電流が流れ込む。これによってトランジスタＱ１のゲート−ソース間電圧Ｖｇｓが上昇し、トランジスタＱ１の閾値を超えた時点でトランジスタＱ１がターンオンし始める。トランジスタＱ１がターンオンし始めると、トランスＴの１次巻線Ｎ１に直流電圧Ｖｉｎが印加されて電流が流れ始め、これによってドライブ巻線Ｎ３と２次巻線Ｎ２それぞれに誘導電圧が生じる。
【００４０】
ドライブ巻線Ｎ３に生じた電圧によって、ドライブ巻線Ｎ３から抵抗Ｒ２とコンデンサＣ１を介してトランジスタＱ１のゲートに電流が流れ込み、トランジスタＱ１のゲート−ソース間電圧Ｖｇｓの上昇を加速し、トランジスタＱ１が完全にターンオンする。一方、２次巻線Ｎ２に発生した電圧は整流用のダイオードＤ２及びＤ３に対して逆方向の電圧（負極性の電圧）になるため、２次巻線Ｎ２には電流は流れない。
【００４１】
トランジスタＱ１がターンオンしてドライブ巻線Ｎ３に正極性の電圧が生じると、ダイオードＤ１、抵抗Ｒ４、及びフォトカプラＰ１を介して電流が流れてコンデンサＣ２が充電される。これにより、コンデンサＣ２の両端の電圧、即ち、トランジスタＱ２のベース−エミッタ間電圧が上昇する。トランジスタＱ２のベース−エミッタ間電圧が上昇してトランジスタＱ２の閾値を超えるとトランジスタＱ２がオンする。トランジスタＱ２がオンすると、トランジスタＱ２のコレクタ−エミッタ間電圧、即ち、トランジスタＱ１のゲート−ソース間電圧Ｖｇｓがほぼ０Ｖとなって、トランジスタＱ１をターンオフさせるように働く。
【００４２】
トランジスタＱ１がターンオフし始めると１次巻線Ｎ１に印加される電圧が０Ｖになり、１次巻線Ｎ１に流れていた電流もゼロになる。しかしながら、トランジスタＱ１がオンのときに１次巻線Ｎ１に流れた電流によってトランスＴｒに蓄積されていた励磁エネルギーによって、２次巻線Ｎ２及びドライブ巻線Ｎ３にはそれまでと逆極性の誘導電圧が生じる。
【００４３】
２次巻線Ｎ２に生じた逆極性の電圧によって発生した電流はダイオードＤ２を通って平滑コンデンサＣ４で平滑化されて出力されると共に、ダイオードＤ３を通って平滑コンデンサＣ５で平滑化されて出力される。また、ドライブ巻線Ｎ３に生じた逆極性の電圧は、トランジスタＱ１のゲート−ソース間に形成された内部容量から、コンデンサＣ１及び抵抗Ｒ２を介して急速に電荷を吸収し、トランジスタＱ１を完全にターンオフさせる。そして同時に、コンデンサＣ２の電荷は抵抗Ｒ５によって放電され、トランジスタＱ２はオフとなる。つまり、トランジスタＱ２はトランジスタＱ１をターンオフするきっかけを与えるときにのみ一瞬だけオンになる。
【００４４】
トランジスタＱ１がオフのときに２次巻線Ｎ２に流れる電流は、トランスＴｒからの励磁エネルギーの放出とともに徐々に減少して最後にはゼロとなる。２次巻線Ｎ２に流れる電流がゼロになると、２次巻線Ｎ２及びドライブ巻線Ｎ３それぞれに生じる電圧はそのまま放置すれば０Ｖを境にして振動しながら減衰する傾向を示す。このときドライブ巻線Ｎ３において逆極性から一時的に正極性になる電圧のことをキック電圧という。
【００４５】
ドライブ巻線Ｎ３にキック電圧が生じると、ドライブ巻線Ｎ３から抵抗Ｒ２とコンデンサＣ１を介して、トランジスタＱ１のゲートとソースの間に形成される内部容量に電流が流れ込んでトランジスタＱ１のゲート−ソース間電圧Ｖｇｓを上昇させる。そして、ゲート−ソース間電圧Ｖｇｓが閾値を超えてトランジスタＱ１がターンオンする。そして、トランジスタＱ１のターンオンとともに、２次巻線Ｎ２及びドライブ巻線Ｎ３それぞれに生じる電圧は強制的に一方の極性に引き上げられて、電圧の振動は強制終了させられる。
【００４６】
これ以降は起動時と同様の動作を繰り返すことになり、トランジスタＱ１のターンオンとターンオフが繰り返され、スイッチング電源回路として動作する。
【００４７】
また、スイッチング電源回路１は、電圧安定化機能（フィードバック機能）も有しており、シャントレギュレータＳ１のリファレンス端子には出力電圧Ｖｏｕｔ１及びＶｏｕｔ２に応じた電圧が印加され、当該電圧に応じた電流がシャントレギュレータＳ１に流れる。そして、この電流に応じた発光量でフォトカプラＰ１の発光ダイオードが発光し、受光量に応じた電流がフォトダイオードに流れる。これにより、トランジスタＱ１がオンのときにコンデンサＣ２に充電される時間が制御され、トランジスタＱ２がオンとなるタイミング、即ちトランジスタＱ１がオフとなるタイミングが制御される。このようにして、出力電圧Ｖｏｕｔ１及びＶｏｕｔ２は一定値となるように制御される。なお、例えばＶｏｕｔ１は２０Ｖ、Ｖｏｕｔ２は１０Ｖに制御される。
【００４８】
次に、減電検出回路１２の具体的構成を図３に示して説明する。図３に示すように減電検出回路１２は、抵抗１２１、ダイオード１２２、平滑コンデンサ１２３、ツェナーダイオード１２４、抵抗１２５、抵抗１２６、トランジスタ１２７、及びＮＯＴ回路１２８を備えている。
【００４９】
トランスＴｒにおける２次巻線Ｎ２（図２）の中間点に抵抗１２１の一端が接続され、他端にダイオード１２２のカソードが接続される。ダイオード１２２のアノードには平滑コンデンサ１２３の一端と共にツェナーダイオード１２４のアノードに接続される。平滑コンデンサ１２３の他端は接地される。ツェナーダイオード１２４のカソードには抵抗１２５の一端が接続される。抵抗１２５の他端は抵抗１２６を介して定電圧Ｖｃｃに接続される。抵抗１２５と抵抗１２６の接続点にはトランジスタ１２７のベースが接続される。トランジスタ１２７のエミッタは接地され、コレクタはリセットラインＬ３（図２）に接続される。また、抵抗１２５と抵抗１２６の接続点にはＮＯＴ回路１２８の入力端に接続される。ＮＯＴ回路１２８の出力端には電荷引抜き回路１３（図２）の入力端が接続される。
【００５０】
このような構成により、２次巻線Ｎ２の中間点に発生した電圧は、抵抗１２１を介し、ダイオード１２２及び平滑コンデンサ１２３から成る整流平滑回路によりマイナス側へ整流平滑され、ツェナーダイオード１２４によって降伏電圧分だけバイアスされ、定電圧Ｖｃｃとの間で抵抗１２５及び１２６によって分圧される。分圧後の電圧は、トランジスタ１２７のベース、及びＮＯＴ回路１２８の入力端に印加される。
【００５１】
入力されている交流電圧Ｖａｃが不安定となり減少した場合（振幅が小さくなった場合）、直流電圧Ｖｉｎが低下するので、トランジスタＱ１がオンのときに２次巻線Ｎ２の中間点に発生する負極性の電圧がプラス側へ近づく。これにより、減電検出回路１２における上記分圧後の電圧はプラス側に大きくなり、トランジスタ１２７がオンとなる。すると、リセットラインＬ３がグランド電位に引き込まれるので、ＦＦＣ２３を介してリセットラインＬ３に電気的接続されたＳＯＣ２５のリセット端子２５Ｃに入力される電圧がＬｏｗレベルとなる。これにより、ＳＯＣ２５はリセットされ、電源電圧低下によるフリーズを抑止できる。
【００５２】
次に、ＮＯＴ回路１２８の後段側に設けられた電荷引抜き回路１３について説明する。電荷引抜き回路１３の回路構成を図４に示す。図４に示すように電荷引抜き回路１３は、抵抗１３１、１３２、１３４、１３５及び１３８と、コンデンサ１３６と、トランジスタ１３３、１３７と、ダイオード１３９を備えている。
【００５３】
ＮＯＴ回路１２８の出力信号が入力される端子Ｔ１には、抵抗１３１の一端が接続される。抵抗１３１の他端には、抵抗１３２の一端とトランジスタ１３３のベースが接続される。トランジスタ１３３のコレクタには、直列接続された抵抗１３４と１３５の接続点が接続される。抵抗１３４と１３５の接続点には、コンデンサ１３６の一端と、トランジスタ１３７のベースが接続される。抵抗１３２の他端、トランジスタ１３３のエミッタ、抵抗１３５の他端、コンデンサ１３６の他端、及びトランジスタ１３７のエミッタは共通接続されて接地される。
【００５４】
また、第１出力電圧ラインＬ１に接続される端子Ｔ２と抵抗１３４の一端との接続点には、抵抗１３８の一端とダイオード１３９のカソードが共通接続される。抵抗１３８の他端にはトランジスタ１３７のコレクタが接続される。そして、第２出力電圧ラインＬ２に接続される端子Ｔ３には、ダイオード１３９のアノードが接続される。即ち、通常動作時に出力電圧の高い第１出力電圧ラインＬ１（例えば２０Ｖ）にダイオード１３９のカソードが、出力電圧の低い第２出力電圧ラインＬ２（例えば１０Ｖ）にダイオード１３９のアノードが接続される。
【００５５】
ここで、入力される交流電圧Ｖａｃが正常レベルであれば、トランジスタＱ１がオンのときに２次巻線Ｎ２の中間点に発生する負極性の電圧はマイナス側に大きな正常の値であるので、図３の減電検出回路１２における抵抗１２５と１２６の接続点の電圧である分圧後の電圧はＬｏｗレベルとなり、ＮＯＴ回路１２８の出力はＨｉｇｈレベルとなる。
【００５６】
このとき、図４の電荷引抜き回路１３における端子Ｔ１にＨｉｇｈレベルの電圧が印加されるので、図５Ａに示すように、トランジスタ１３３がオンとなり、トランジスタ１３７はオフとなる。従って、平滑コンデンサＣ４（図２）から第１出力電圧ラインＬ１及び端子Ｔ２を介してトランジスタ１３７に電流は流れないので、電荷はほとんど引き抜かれず放電されない。このとき、ダイオード１３９はオフである。
【００５７】
また、ＡＣケーブルをコンセントから外すなどして交流電圧Ｖａｃの供給が停止されると、直流電圧Ｖｉｎが低下し、トランジスタＱ１がオンのときに２次巻線Ｎ２の中間点に発生する負極性の電圧がプラス側へ近づく。これにより、減電検出回路１２における上記分圧後の電圧はＨｉｇｈレベルとなり、ＮＯＴ回路１２８の出力はＬｏｗレベルとなる。
【００５８】
このとき、電荷引抜き回路１３における端子Ｔ１にＬｏｗレベルの電圧が印加されるので、図５Ｂに示すように、トランジスタ１３３がオフとなり、第１出力電圧ラインＬ１の電圧がプルアップ電圧として端子Ｔ２及び抵抗１３４を介してトランジスタ１３７のベースに印加される。これにより、トランジスタ１３７はオンとなり、平滑コンデンサＣ４から第１出力電圧ラインＬ１、端子Ｔ２、抵抗１３８、及びトランジスタ１３７を介して電流が流れ、平滑コンデンサＣ４から電荷が短時間に引き抜かれて放電される。
【００５９】
平滑コンデンサＣ４から電荷が引き抜かれて端子Ｔ２の電圧が低くなると、端子Ｔ３に印加される第２出力電圧ラインＬ２の電圧との関係で、図５Ｃのように、ダイオード１３９がオンとなる。これにより、端子Ｔ３の電圧がプルアップ電圧としてダイオード１３９、抵抗１３４を介してトランジスタ１３７のベースに印加され、トランジスタ１３７はオンを維持する。すると、平滑コンデンサＣ５から第２出力電圧ラインＬ２、端子Ｔ３、ダイオード１３９、抵抗１３８、及びトランジスタ１３７を介して電流が流れ、平滑コンデンサＣ５から電荷が短時間に引き抜かれて放電される。放電されると、ダイオード１３９とトランジスタ１３７はオフとなる。
【００６０】
このように電荷引抜き回路１３によれば、交流電圧Ｖａｃの供給を停止させた場合に、第１出力電圧ラインＬ１に接続される平滑コンデンサＣ４、第２出力電圧ラインＬ２に接続される平滑コンデンサＣ５から順に短時間で放電させることができる。
【００６１】
例えば製品の組み立て工程や修理時に、交流電圧Ｖａｃの供給を停止させた後、短時間にＦＦＣ２３のコネクタ２３１をコネクタ２２から引抜き（図１）、再度挿入したときに、本来対応していないコネクタ２２とコネクタ２３１の端子同士が短絡したとする。しかしながら、既に平滑コンデンサＣ４及びＣ５には引き抜きによって電荷が残留していないので、第２基板２７に設けられた回路（ＳＯＣ２５やオーディオアンプ２６等）の部品が破壊することを抑止できる。なお、コネクタ２３２のコネクタ２４に対する脱着を行った場合も同様である。
【００６２】
なお、交流電圧Ｖａｃが正常レベルの場合である図５Ａの状態では、端子Ｔ２から抵抗１３４及びオンとなったトランジスタ１３３を介して電流が流れるが、抵抗１３４はトランジスタ１３７のドライブ用で高い抵抗値としているため、消費電力はごくわずかであり無視できるレベルである。
【００６３】
また、図４の電荷引抜き回路１３において端子Ｔ３とダイオード１３９を設けないようにした回路を第１出力電圧ラインＬ１からの引抜き用とし、同様の回路を別途、第２出力電圧ラインＬ２からの引抜き用に設けてもよい。これによれば、平滑コンデンサＣ４とＣ５から並行して電荷を引抜くことができる。但し、コストと基板スペースの面からは図４に示した構成が望ましい。
【００６４】
＜第２実施形態＞
次に、本発明の第２実施形態について述べる。本実施形態に係る電荷引抜き回路の回路構成を図６に示す。本実施形態は、第１実施形態における第１出力電圧ラインＬ１、第２出力電圧ラインＬ２に加えて、第３出力電圧ラインを備えたスイッチング電源回路を前提とする。
【００６５】
図６に示す電荷引抜き回路１３’では、図４で示した構成に加えて、ダイオード１４０と端子Ｔ４を備えている。第１出力電圧ラインが端子Ｔ２、第２出力電圧ラインＬ２が端子Ｔ３、及び第３出力電圧ラインが端子Ｔ４にそれぞれ接続しており、通常動作時の出力電圧については、第１出力電圧ライン＞第２出力電圧ライン＞第３出力電圧ラインとなっている。そして、端子Ｔ２とダイオード１３９のカソードの接続点に、ダイオード１４０のカソードが接続される。ダイオード１４０のアノードが端子Ｔ４に接続される。
【００６６】
このような構成によれば、交流電圧の供給が停止されて端子Ｔ１にＬｏｗレベルの信号が印加されると、トランジスタ１３３がオフとなり、トランジスタ１３７がプルアップによりオンとなる。これにより、第１出力電圧ラインに接続された平滑コンデンサから放電が行われ、端子Ｔ２の電圧が低下する。すると、ダイオード１３９がオンとなり、ダイオード１４０はオフが維持される。そして、トランジスタ１３７のオンが維持され、第２出力電圧ラインに接続された平滑コンデンサからの放電が行われる。
【００６７】
放電により端子Ｔ３の電圧が低下すると、ダイオード１３９はオフとなり、ダイオード１４０がオンとなる。すると、トランジスタ１３７のベースにプルアップ電圧が印加され、トランジスタ１３７はオンを維持する。これにより、第３出力電圧ラインに接続された平滑コンデンサからの放電が行われる。
【００６８】
このように、本実施形態によれば、３つ設けられた出力電圧ラインの各平滑コンデンサから順次、短時間で電荷を引抜くことができる。なお、出力電圧ラインが４つ以上になった場合でも、ダイオードを追加して同様の構成を採ればよい。
【００６９】
＜第３実施形態＞
次に、本発明の第３実施形態について述べる。本実施形態では、交流電圧Ｖａｃの供給の停止を検出する構成が第１実施形態と相違する。本実施形態に係るスイッチング電源回路の構成を図７に示す。なお、図７において減電検出回路１２’は、図３の構成においてＮＯＴ回路１２８を削除した構成となる。
【００７０】
図７に示すように、スイッチング電源回路１’は、整流平滑回路１５、フォトカプラＰ２、抵抗Ｒ１０、及び抵抗Ｒ１１を備えている。
【００７１】
交流電圧Ｖａｃが正常レベルであれば、交流電圧Ｖａｃを整流平滑する整流平滑回路１５の出力電圧は所定のレベルにあるので、フォトカプラＰ２の発光ダイオードの発光により、フォトカプラＰ２のフォトトランジスタと抵抗Ｒ１１の接続点の電圧はＨｉｇｈレベルとなる。当該接続点は電荷引抜き回路１３の端子Ｔ１（図４）に接続されるので、端子Ｔ１の電圧はＨｉｇｈレベルとなり、電荷の引抜きは行われない（図５Ａ）。
【００７２】
一方、交流電圧Ｖａｃの供給が停止されると、整流平滑回路１５の出力電圧が低下し、フォトカプラＰ２のフォトトランジスタと抵抗Ｒ１１の接続点の電圧はＬｏｗレベルとなる。よって、電荷引抜き回路１３の端子Ｔ１の電圧がＬｏｗレベルとなり、電荷の引抜きが行われる（図５Ｂ、図５Ｃ）。
【００７３】
このようなフォトカプラＰ２を用いた構成によれば、１次側と２次側間を絶縁しつつ迅速に交流電圧Ｖａｃの供給停止を検出することができる。
【００７４】
以上、本発明の実施形態について説明したが、本発明の趣旨の範囲内であれば、実施形態は種々の変形が可能である。
【００７５】
例えば、本発明は、自励式に限らず他励式のスイッチング電源回路にも適用できるし、トランスを有した絶縁型に限らず、非絶縁型の電源回路（チョッパ回路等）にも適用可能である。また、入力電圧は交流電圧に限らず、直流電圧でもよい。
【符号の説明】
【００７６】
１  スイッチング電源回路
１１  整流平滑回路
１２  減電検出回路
１３  電荷引抜き回路
１４  整流平滑回路
１５  整流平滑回路
２１  第１基板
２２  コネクタ
２３  ＦＦＣ
２３１、２３２  コネクタ
２４  コネクタ
２５  ＳＯＣ
２６  オーディオアンプ
２７  第２基板
Ｐ２  フォトカプラ
【図１】
2015231279.tif 000003
【図２】
2015231279.tif 000004
【図３】
2015231279.tif 000005
【図４】
2015231279.tif 000006
【図５Ａ】
2015231279.tif 000007
【図５Ｂ】
2015231279.tif 000008
【図５Ｃ】
2015231279.tif 000009
【図６】
2015231279.tif 000010
【図７】
2015231279.tif 000011